(57)【特許請求の範囲】
【請求項１】
機体前面が機体後方に向け凹む凹面状をなし、機体上面の機体幅方向中間位置の前記機体前面側に取引口が設けられる預払機本体と、
該預払機本体の前記機体上面の機体幅方向中間位置の前記取引口よりも機体後側から立ち上がる支柱部と、
該支柱部の上部から機体幅方向両側に外側ほど機体前側に位置するように傾斜して延出しそれぞれの少なくとも上面側に内外アクセス部が設けられる側方延出部と、
これら側方延出部の相互近接側の上方位置に設けられる表示部と、
を有し、
前記機体前面は、機体幅方向中間位置にあって機体後方に向け凹む湾曲凹面状をなす中間前面部と、該中間前面部の機体幅方向両側にあって、外側ほど機体後方に位置するように鏡面対称状に傾斜する一対の側方前面部とを有することを特徴とする現金自動預払機。
【請求項２】
前記一対の側方前面部のそれぞれに、機外を照らす照明部が設けられていることを特徴とする請求項１記載の現金自動預払機。
【請求項３】
操作者から見て左側の前記側方延出部の上面側に、前記内外アクセス部として係員との通話用の電話が設けられ、
操作者から見て右側の前記側方延出部の上面に、前記内外アクセス部として運転免許証のイメージデータを取り込む運転免許証用スキャナが設けられていることを特徴とする請求項１または２記載の現金自動預払機。
【請求項４】
前記預払機本体は、機体幅方向両側にある一対の機体側面が機体後側ほど互いの間隔が狭くなるように鏡面対称状に傾斜していることを特徴とする請求項１乃至３のいずれか一項記載の現金自動預払機。
【発明の詳細な説明】
【技術分野】
【０００１】
本発明は、現金自動預払機に関する。
【背景技術】
【０００２】
現金自動預払機は、機体幅方向の両側の一対の機体側面が平行をなし、機体前面が平面状をなしてこれら機体側面に直交するものが一般的である（例えば、特許文献１参照）。
【先行技術文献】
【特許文献】
【０００３】
【特許文献１】特開２０１４−１１２４４０号公報
【発明の概要】
【発明が解決しようとする課題】
【０００４】
現金自動預払機は、近年、多機能化が求められている。多機能化に対応するためには、顧客とのやり取りを行うための内外アクセス部を増やすことが必要となる場合がある。しかしながら、単純に内外アクセス部の数を増やすと操作性が悪くなる可能性がある。
【０００５】
したがって、本発明は、良好な操作性が得られる現金自動預払機の提供を目的とする。
【課題を解決するための手段】
【０００６】
上記目的を達成するために、請求項１に係る発明は、機体前面が機体後方に向け凹む凹面状をなし、機体上面の機体幅方向中間位置の前記機体前面側に取引口が設けられる預払機本体と、該預払機本体の前記機体上面の機体幅方向中間位置の前記取引口よりも機体後側から立ち上がる支柱部と、該支柱部の上部から機体幅方向両側に外側ほど機体前側に位置するように傾斜して延出しそれぞれの少なくとも上面側に内外アクセス部が設けられる側方延出部と、これら側方延出部の相互近接側の上方位置に設けられる表示部と、を有する。
【０００７】
また、前記機体前面は、機体幅方向中間位置にあって機体後方に向け凹む湾曲凹面状をなす中間前面部と、該中間前面部の機体幅方向両側にあって、外側ほど機体後方に位置するように鏡面対称状に傾斜する一対の側方前面部とを有することを特徴とする。
【０００８】
請求項２に係る発明は、請求項１に係る発明において、前記一対の側方前面部のそれぞれに、機外を照らす照明部が設けられていることを特徴とする。
【０００９】
請求項３に係る発明は、請求項１または２に係る発明において、操作者から見て左側の前記側方延出部の上面側に、前記内外アクセス部として係員との通話用の電話が設けられ、操作者から見て右側の前記側方延出部の上面に、前記内外アクセス部として運転免許証のイメージデータを取り込む運転免許証用スキャナが設けられていることを特徴とする。
【００１０】
請求項４に係る発明は、請求項１乃至３のいずれか一項に係る発明において、前記預払機本体は、機体幅方向両側にある一対の機体側面が機体後側ほど互いの間隔が狭くなるように鏡面対称状に傾斜していることを特徴とする。
【発明の効果】
【００１１】
請求項１に係る発明によれば、預払機本体の機体前面が機体後方に向け凹む凹面状をなしており、預払機本体の機体上面の機体幅方向中間位置の機体前面側に貨幣の内外アクセス用の取引口が設けられている。また、預払機本体の取引口よりも機体後側から立ち上がる支柱部の上部から機体幅方向両側に外側ほど機体前側に位置するように傾斜して延出する側方延出部のそれぞれの少なくとも上面側にも内外アクセス部が設けられている。これにより、操作者からほぼ等距離の位置に取引口および内外アクセス部をレイアウトすることができる。したがって、取引口および内外アクセス部の操作性が良好となる。また、両側の側方延出部は、預払機本体の機体上面から立ち上がる支柱部の上部から延出するため、預払機本体の機体上面との間にスペースを設けることになる。よって、これらのスペースにも内外アクセス部を配置することができ、しかも配置された内外アクセス部も取引口に対して操作者からほぼ等距離の位置にレイアウトすることができる。したがって、これら内外アクセス部を含む内外アクセス部および取引口の操作性が良好となる。
【００１２】
また、預払機本体の機体前面が、機体幅方向中間位置にあって機体後方に向け凹む湾曲凹面状をなす中間前面部と、この中間前面部の機体幅方向両側にあって、外側ほど機体後方に位置するように鏡面対称状に傾斜する一対の側方前面部とを有するため、預払機本体の大型化を抑制することができる。
【００１３】
請求項２に係る発明によれば、一対の側方前面部のそれぞれに、機外を照らす照明部が設けられているため、操作者を最適な操作位置である中間前面部側に誘導することができる。
【００１４】
請求項３に係る発明によれば、操作者から見て左側の側方延出部の上面側に、内外アクセス部として係員との通話用の電話が設けられ、操作者から見て右側の側方延出部の上面側に、内外アクセス部として運転免許証のイメージデータを取り込む運転免許証用スキャナが設けられているため、より操作性に優れることになる。
【００１５】
請求項４に係る発明によれば、預払機本体の機体幅方向両側にある一対の機体側面が機体後側ほど互いの間隔が狭くなるように鏡面対称状に傾斜しているため、預払機本体の大型化を抑制することができる。しかも、複数台の現金自動預払機を並べる場合に、預払機本体の機体側面同士を近接させて並べると、隣り合う表示部同士のなす角が１８０度よりも大きくなり、より覗き見が困難な配置にすることができる。
【図面の簡単な説明】
【００１６】
【図１】本発明の一実施形態に係る現金自動預払機を示す平面図である。
【図２】本発明の一実施形態に係る現金自動預払機を示す正面図である。
【図３】本発明の一実施形態に係る現金自動預払機を示す側面図である。
【図４】本発明の一実施形態に係る現金自動預払機を示す複数台のレイアウト例を示す平面図である。
【発明を実施するための形態】
【００１７】
本発明の一実施形態に係る現金自動預払機を図面を参照して以下に説明する。
本実施形態に係る現金自動預払機は、貨幣の入出金が可能な貨幣入出金機であり、金融機関の店舗のロビー等に設置されて主に顧客により操作されるものである。
【００１８】
本実施形態に係る現金自動預払機は、自分名義の口座への現金の預け入れ、自分名義の口座からの現金の引き出し、自分名義の口座の残高照会、他人名義の口座への現金の振り込みの他に、新規口座の開設等を行う多機能型の現金自動預払機となっている。
【００１９】
この現金自動預払機を、操作を行う操作者が立つ側を機体前側とし、操作者が立つ側とは反対側を機体後側とし、操作者から見た左右方向を機体幅方向として説明する。
【００２０】
図１に示すように、現金自動預払機１０は、預払機本体１１と、預払機本体１１上に取り付けられる設置台１２とを有している。預払機本体１１は、その前面である機体前面２１が機体後方に向け凹む凹面状をなしている。
【００２１】
機体前面２１は、機体幅方向中間位置にあって機体後方に向け凹む湾曲凹面状をなす中間前面部２２と、中間前面部２２の機体幅方向両側にある一対の平面状をなす側方前面部２３，２３とを有している。一対の側方前面部２３，２３は、中間前面部２２の機体幅方向の両端縁部から延出している。一対の側方前面部２３，２３は、機体幅方向の外側ほど機体後方に位置するように傾斜しており、預払機本体１１の機体幅方向の中心を通り機体前後方向に沿う鉛直面を中心とする鏡面対称状に傾斜している。中間前面部２２および一対の側方前面部２３，２３は、いずれも鉛直方向に沿っており、よって、機体前面２１の全体が鉛直方向に沿っている。中間前面部２２の上端部の機体幅方向中間位置には、図２に示すように鉛直下方に凹む凹部２４が形成されている。一対の側方前面部２３，２３のそれぞれには、機外を照らす照明部２５が設けられており、よって、預払機本体１１には、左右一対の照明部２５，２５が設けられている。
【００２２】
図１に示すように、預払機本体１１は、機体幅方向両側にあるその側面である一対の機体側面２８，２８が、機体前面２１の機体幅方向の両端縁部、言い換えれば、一対の側方前面部２３，２３のそれぞれの中間前面部２２とは反対側の端縁部から機体後方に延出している。一対の機体側面２８，２８は、機体後側ほど互いの間隔が狭くなるように、機体幅方向の中心を通り機体前後方向に沿う鉛直面を中心とする鏡面対称状に傾斜している。預払機本体１１は、その機体後面２９が平面状をなしている。機体後面２９は、一対の機体側面２８，２８の機体後側の両端縁部同士を結んでいる。これら一対の機体側面２８，２８および機体後面２９も鉛直方向に沿っている。
【００２３】
預払機本体１１は、その上面である機体上面３１が、平面状をなしている。機体上面３１は、機体前面２１、一対の機体側面２８，２８および機体後面２９のすべての上端縁部を結んでいる。機体上面３１は、水平に配置されている。機体上面３１の機体前側の機体幅方向中間位置には、機体後方に凹む凹部３２が形成されている。この凹部３２は、図２に示す機体前面の凹部２４と連続しており、これら凹部２４，３２が、預払機本体１１に対する内外アクセスである現金の出し入れが行われる取引口３５となっている。よって、預払機本体１１は、機体上面３１の機体幅方向中間位置の機体前面２１側に取引口３５が設けられている。取引口３５を介して預払機本体１１に出し入れされる現金は、紙幣および硬貨の両方となっている。勿論、紙幣のみとすることも可能である。取引口３５には、これを開閉可能なシャッタ３６が設けられている。
【００２４】
設置台１２は、預払機本体１１の機体上面３１の機体幅方向中間位置の取引口３５よりも機体後側から立ち上がる支柱部４１と、支柱部４１の上部から機体幅方向両側に機体上面３１と平行をなして延出する一対の側方延出部４２，４３と、これら側方延出部４２，４３の相互近接側に設けられる図１，図３に示す台部４４とを有している。
【００２５】
図１に示すように、一対の側方延出部４２，４３は、相互近接側が互いに繋がっており、全体として同一平板状に形成されている。一対の側方延出部４２，４３は、相互連結側のみが図２に示す支柱部４１によって預払機本体１１に支持され、よって、いずれも支柱部４１から片持ち状をなして延出している。一対の側方延出部４２，４３は、支柱部４１の上部から機体幅方向両側に外側ほど機体前側に位置するように傾斜して延出している。言い換えれば、一対の側方延出部４２，４３は平面視Ｖ字状をなすように互いに繋がっている。一対の側方延出部４２，４３の機体後方への凹み量は、中間前面部２２の機体後方への凹み量よりも大きくなっている。
【００２６】
一対の側方延出部４２，４３には、それぞれの上面側に少なくとも機外の情報を機内に取り込むための内外アクセス部５１，５５が設けられている。具体的に、操作者から見て左側つまり機体幅方向左側の側方延出部４２の上面側には、操作者と店舗内係員との通話用の内外アクセス部としての電話５１が設けられている。この電話５１は、店舗内係員との直通電話となっている。電話５１は、側方延出部４２の上面側に固定された本体部５２と、本体部５２に対して着脱可能な受話部５３とからなっており、本体部５２に対して受話部５３を取り外すと、店舗内係員の電話に自動的につながるようになっている。
【００２７】
操作者から見て右側つまり機体幅方向右側の側方延出部４３の上面側には、操作者が提示する運転免許証のイメージデータを取り込む内外アクセス部としての運転免許証用スキャナ５５が設けられている。運転免許証用スキャナ５５は、側方延出部４３に固定されるスキャナ本体５６と、スキャナ本体５６の上側にあってスキャナ本体５６の機体左側の端縁部を中心に揺動開閉される蓋部５７とを有している。運転免許証用スキャナ５５は、蓋部５７を開けた状態でスキャナ本体５６に伏せた状態で載置された運転免許証を、蓋部５７を閉じた状態で、スキャナ本体５６がスキャンして画像データとして読み込む。
【００２８】
側方延出部４２，４３と、預払機本体１１の機体上面３１との間には、スペース６１，６２が設けられている。これらのスペース６１，６２は、水平方向においては支柱部４１側以外の三方向が開放されている。これらのスペース６１，６２には、内外アクセス部６５，７１が設けられている。具体的に、側方延出部４２と機体上面３１との間の機体幅方向左側のスペース６１には内外アクセス部としてのバーコードリーダ６５が設けられている。このバーコードリーダ６５はバーコードを読み取る読取部６６を下向きにして側方延出部４２に固定されている。読取部６６は、預払機本体１１の機体上面３１に沿って読取部６６の下方に挿入された書類のバーコードを読み取る。
【００２９】
側方延出部４３と機体上面３１との間の機体幅方向右側のスペース６２には内外アクセス部としてのＩＣチップ読取リーダ７１が設けられている。このＩＣチップ読取リーダ７１はＩＣキャッシュカードに埋設されたＩＣチップから情報を読み取る読取部７２を上向きにして機体上面３１上に移動可能に設置されている。
【００３０】
図１，図３に示す台部４４は、預払機本体１１の機体幅方向の中央位置に設けられており、支柱部４１の上方に設けられている。台部４４には、表示部７５が台部４４よりも上方に突出するように設けられている。この表示部７５は、タッチパネル式の液晶画面からなる操作表示面７６が機体前方を向き、しかも鉛直に対して上部ほど機体後側に位置するように若干傾斜して台部４４に取り付けられている。台部４４には、表示部７５の右側に、キャッシュカードの磁気データを読み取るカードリーダ７７が設けられている。表示部７５の上部には撮影可能なカメラ７８が撮影方向を機体前方に向けて設けられている。
【００３１】
このような現金自動預払機１０に対して取引を行う顧客は、現金自動預払機１０の中間前面部２２に対向するように立って、複数の取引が選択可能な待機画面となっている表示部７５の操作表示面７６に取引内容の選択入力操作を行う。顧客が、例えば、現金を預け入れる預入取引を操作表示面７６にて選択入力すると、図示略の制御部が、操作表示面７６に、磁気キャッシュカードのカードリーダ７７への走査、あるいはＩＣキャッシュカードのＩＣチップ読取リーダ７１への読み取り、を促す表示を表示させる。
【００３２】
例えば、カードリーダ７７に磁気キャッシュカードが走査されると、制御部はカードリーダ７７が読み取ったデータから顧客の口座番号を割り出し、シャッタ３６を開いて、現金の投入を促す表示を操作表示面７６に表示させる。取引口３５に現金が投入されると、制御部はシャッタ３６を閉じて、投入された現金を預払機本体１１により計数させる。そして、計数結果および確認操作の入力を促す表示を操作表示面７６に表示させる。そして、操作表示面７６に確認操作が入力されると、制御部は、預入取引を終了する。
【００３３】
また、待機画面となっている表示部７５の操作表示面７６に対して、顧客が、例えば、現金を引き出す引出取引を選択入力すると、図示略の制御部が、操作表示面７６に、磁気キャッシュカードのカードリーダ７７への走査、あるいはＩＣキャッシュカードのＩＣチップ読取リーダ７１への読み取りを促す表示を表示させる。
【００３４】
例えば、カードリーダ７７に磁気キャッシュカードが走査されると、制御部はカードリーダ７７が読み取ったデータから顧客の口座番号を割り出し、操作表示面７６に対して、暗証番号の入力を促す表示を表示させる。操作表示面７６に暗証番号が入力され、この暗証番号が適正であれば、制御部は、操作表示面７６に引き出し金額の入力を促す表示を表示させる。操作表示面７６に引き出し金額が入力されると、制御部は、預払機本体１１により引き出し金額に応じた現金を取引口３５に出金させて、シャッタ３６を開く。取引口３５から現金が取り出されると、制御部は、シャッタ３６を閉じて引出取引を終了する。
【００３５】
また、待機画面となっている表示部７５の操作表示面７６に対して、顧客が、例えば、新規口座開設取引を選択入力すると、図示略の制御部が、運転免許証用スキャナ５５による運転免許証の画像データの取り込み、あるいはＩＣ運転免許証のＩＣチップ読取リーダ７１へのＩＣチップの読み取りを促す表示を表示させる。顧客は、運転免許証用スキャナ５５により運転免許証の画像データを取り込む場合、蓋部５７を開き、運転免許証を伏せた状態でスキャナ本体５６に載置させて、蓋部５７を閉じ、読み込みを行う操作を操作表示面７６に入力する。すると、制御部は、スキャナ本体５６で運転免許証の画像データを読み取り、この画像データからＯＣＲ処理等を行って口座開設に必要なデータを抽出する。その際に、例えば、カメラ７８で撮影した顧客の顔と、画像データの顧客の顔との一致度が所定の割合になっているか否かを判定し、一致度が所定の割合以上になっている場合に限り、口座開設を許可する。
【００３６】
また、ＩＣ運転免許証のＩＣチップ読取リーダ７１への読み取りが行われると、ＩＣ運転免許証の暗証番号の入力を促す表示を操作表示面７６に表示させ、操作表示面７６にＩＣ運転免許証の適正な暗証番号が入力された場合に限り、口座開設を許可する。
【００３７】
画像データから抽出したデータあるいはＩＣ運転免許証のＩＣチップから読み込んだデータ（例えば、住所、氏名、生年月日、免許証番号）を予め埋めた状態の口座開設情報入力画面を操作表示面７６に表示させ、残りの口座開設情報が適正に入力されると、制御部は、情報を記憶し、口座開設を行う。なお、途中で不明点が発生した場合等に、顧客は、電話５１を用いて係員とやり取りすることになる。
【００３８】
別途の入力機で取引に関する取引情報が入力されると、入力機は、この取引情報を帳票に印刷するとともにデータベースに記憶し、これに関連づけて帳票にバーコードを印刷する。この帳票のバーコードを、現金自動預払機１０のバーコードリーダ６５に読み取らせると、制御部は、このバーコードに関連づけてデータベースに記憶された取引情報を読み出して使用することになり、入力操作の一部を別途の入力機とで分担し、現金自動預払機１０の一人の顧客が使用する時間を短くする。
【００３９】
以上に述べた本実施形態の現金自動預払機１０によれば、預払機本体１１の機体前面２１が機体後方に向け凹む凹面状をなしており、預払機本体１１の機体上面３１の機体幅方向中間位置の機体前面２１側に貨幣の内外アクセス用の取引口３５が設けられている。また、預払機本体１１の取引口３５よりも機体後側から立ち上がる支柱部４１の上部から機体幅方向両側に外側ほど機体前側に位置するように傾斜して延出する側方延出部４２，４３の上面側に内外アクセス用の電話５１および運転免許証用スキャナ５５が設けられている。これにより、操作者からほぼ等距離の位置に取引口３５、電話５１および運転免許証用スキャナ５５がレイアウトされることになる。したがって、電話５１、取引口３５および運転免許証用スキャナ５５の操作性が良好となる。
【００４０】
また、両側の側方延出部４２，４３は、預払機本体１１の機体上面３１から立ち上がる支柱部４１の上部から延出するため、預払機本体１１の機体上面３１との間にスペース６１，６２を設けることになる。よって、これらのスペース６１，６２にもバーコードリーダ６５およびＩＣチップ読取リーダ７１を配置することができ、しかも配置されたバーコードリーダ６５およびＩＣチップ読取リーダ７１も取引口３５に対して操作者からほぼ等距離の位置にレイアウトすることができる。したがって、電話５１、取引口３５および運転免許証用スキャナ５５、バーコードリーダ６５およびＩＣチップ読取リーダ７１の操作性が良好となる。
【００４１】
また、預払機本体１１の機体前面２１が、機体幅方向中間位置にあって機体後方に向け凹む湾曲凹面状をなす中間前面部２２と、この中間前面部２２の機体幅方向両側にあって、外側ほど機体後方に位置するように鏡面対称状に傾斜する一対の側方前面部２３，２３とを有するため、預払機本体１１の大型化を抑制することができる。
【００４２】
また、一対の側方前面部２３，２３に、機外を照らす照明部２５，２５が設けられているため、操作者を最適な操作位置である中間前面部２２側に誘導することができる。
【００４３】
また、操作者から見て左側の側方延出部４２の上面側に、内外アクセス部として係員との通話用の電話５１が設けられ、操作者から見て右側の側方延出部４３の上面側に、内外アクセス部として運転免許証のイメージデータを取り込む運転免許証用スキャナ５５が設けられているため、より操作性に優れることになる。
【００４４】
また、機体幅方向両側にある一対の機体側面２８，２８が機体後側ほど互いの間隔が狭くなるように鏡面対称状に傾斜しているため、預払機本体１１の大型化を抑制することができる。しかも、複数台の現金自動預払機１０を並べる場合に、図４に示すように、機体側面２８，２８同士を近接させて平行に並べると、隣り合う表示部７５，７５の操作表示面７６，７６同士のなす角が１８０度よりも大きくなり、より覗き見が困難な配置にすることができる。
【符号の説明】
【００４５】
１０  現金自動預払機
１１  預払機本体
２１  機体前面
２２  中間前面部
２３  側方前面部
２５  照明部
２８  機体側面
３１  機体上面
３５  取引口
４１  支柱部
４２，４３  側方延出部
５１  電話（内外アクセス部）
５５  運転免許証用スキャナ（内外アクセス部）
６１，６２  スペース
６５  バーコードリーダ（内外アクセス部）
７１  ＩＣチップ読取リーダ（内外アクセス部）
７５  表示部
【図１】
0006308671.tif 000002
【図２】
0006308671.tif 000003
【図３】
0006308671.tif 000004
【図４】
0006308671.tif 000005